【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
第１のインク滴を吐出するためのノズルが所定の方向に沿って配列された第１ノズル列と前記第１のインク滴よりも多い量の第２のインク滴を吐出するためのノズルが前記所定の方向に沿って配列された第２ノズル列とを少なくとも有する記録手段を記録媒体に対して前記所定の方向と交差する方向に走査させながら前記記録手段よりインク滴を吐出させて前記記録媒体上にバンド単位で記録を行うインクジェット記録装置において、
単一のバンドに吐出される前記第１のインク滴の数に基づいて、前記バンドの端部に位置するラスタにおける前記第１のインク滴の吐出予定位置の少なくとも一部に対して前記第２ノズル列のノズルから前記第２のインク滴を吐出させる制御手段を備えることを特徴とするインクジェット記録装置。
【請求項２】
第１のインク滴を吐出するためのノズルが所定の方向に沿って配列された第１ノズル列と前記第１のインク滴よりも多い量の第２のインク滴を吐出するためのノズルが前記所定の方向に沿って配列された第２ノズル列とを少なくとも有する記録手段を記録媒体に対して前記所定の方向と交差する方向に走査させながら前記記録手段よりインク滴を吐出させて前記記録媒体上にバンド単位で記録を行うインクジェット記録装置において、
単一のバンドに吐出される前記第１のインク滴の数に基づいて、前記単一のバンドの端部に位置するラスタに吐出される前記第１のインク滴の吐出予定位置の少なくとも一部に対して前記第２ノズル列のノズルから前記第２のインク滴を吐出させるか否かを制御する制御手段と、
を備えることを特徴とするインクジェット記録装置。
【請求項３】
第１のインク滴を吐出するためのノズルが所定の方向に沿って配列された第１ノズル列と前記第１のインク滴よりも多い量の第２のインク滴を吐出するためのノズルが前記所定の方向に沿って配列された第２ノズル列とを少なくとも有する記録手段を記録媒体に対して前記所定の方向と交差する方向に走査させながら前記記録手段よりインク滴を吐出させて前記記録媒体上にバンド単位で記録を行うインクジェット記録装置において、
単一のバンドに吐出される前記第１のインク滴の数が閾値を超えているかを判定する判定手段と、
前記第１のインク滴の数が閾値を超えていると判定された場合に、前記単一のバンドの端部に位置するラスタにおける前記第１のインク滴の吐出予定位置の少なくとも一部に対して前記第２ノズル列のノズルから前記第２のインク滴を吐出させる制御手段と、
を備えることを特徴とするインクジェット記録装置。
【請求項４】
前記端部に位置するラスタは、前記バンドの最端部に位置する最端部ラスタであることを特徴とする請求項１乃至３のいずれかに記載のインクジェット記録装置。
【請求項５】
前記端部に位置するラスタは、前記バンドの最端部に位置する最端部ラスタとこの最端部ラスタの近傍に位置するラスタであることを特徴とする請求項１乃至３のいずれかに記載のインクジェット記録装置。
【請求項６】
前記制御手段は、前記端部に位置するラスタにおける第１のインク滴の吐出予定位置の少なくとも一部に対して前記第２のインク滴を吐出させる場合、当該第２のインク滴が吐出される前記吐出予定位置には前記第１のインク滴を吐出させないことを特徴とする請求項１乃至５のいずれかに記載のインクジェット記録装置。
【請求項７】
前記吐出予定位置の少なくとも一部とは、前記吐出予定位置の全てであることを特徴とする請求項１乃至６のいずれかに記載のインクジェット記録装置。
【請求項８】
前記制御手段は、前記最端部ラスタにおける第１のインク滴の吐出予定位置の数の所定の割合に相当する数の位置に対して、前記第１のインク滴を吐出させる代わりに前記第２のインク滴を吐出させ、且つ、前記最端部ラスタの近傍に位置するラスタにおける第１のインク滴の吐出予定位置の数の前記所定の割合よりも低い割合に相当する数の位置に対して、前記第１のインク滴を吐出させる代わりに前記第２のインク滴を吐出させることを特徴とする請求項５に記載のインクジェット記録装置。
【手続補正２】
【補正対象書類名】明細書
【補正対象項目名】発明の名称
【補正方法】変更
【補正の内容】
【発明の名称】インクジェット記録装置
【手続補正３】
【補正対象書類名】明細書
【補正対象項目名】０００１
【補正方法】変更
【補正の内容】
【０００１】
本発明は、インク滴を吐出するインクジェット記録ヘッドを用いて記録を行うインクジェット記録装置に関する。
【手続補正４】
【補正対象書類名】明細書
【補正対象項目名】００１０
【補正方法】変更
【補正の内容】
【００１０】
上記課題を実現するため、本発明は以下の構成を有するものとなっている。
すなわち、本発明の第１の形態は、第１のインク滴を吐出するためのノズルが所定の方向に沿って配列された第１ノズル列と前記第１のインク滴よりも多い量の第２のインク滴を吐出するためのノズルが前記所定の方向に沿って配列された第２ノズル列とを少なくとも有する記録手段を記録媒体に対して前記所定の方向と交差する方向に走査させながら前記記録手段よりインク滴を吐出させて前記記録媒体上にバンド単位で記録を行うインクジェット記録装置において、単一のバンドに吐出される前記第１のインク滴の数に基づいて、前記バンドの端部に位置するラスタにおける前記第１のインク滴の吐出予定位置の少なくとも一部に対して前記第２ノズル列のノズルから前記第２のインク滴を吐出させる制御手段を備えることを特徴とする。
【手続補正５】
【補正対象書類名】明細書
【補正対象項目名】００１１
【補正方法】変更
【補正の内容】
【００１１】
また、本発明の第２の形態は、第１のインク滴を吐出するためのノズルが所定の方向に沿って配列された第１ノズル列と前記第１のインク滴よりも多い量の第２のインク滴を吐出するためのノズルが前記所定の方向に沿って配列された第２ノズル列とを少なくとも有する記録手段を記録媒体に対して前記所定の方向と交差する方向に走査させながら前記記録手段よりインク滴を吐出させて前記記録媒体上にバンド単位で記録を行うインクジェット記録装置において、単一のバンドに吐出される前記第１のインク滴の数に基づいて、前記単一のバンドの端部に位置するラスタに吐出される前記第１のインク滴の吐出予定位置の少なくとも一部に対して前記第２ノズル列のノズルから前記第２のインク滴を吐出させるか否かを制御する制御手段と、を備えることを特徴とする。
【手続補正６】
【補正対象書類名】明細書
【補正対象項目名】００１２
【補正方法】変更
【補正の内容】
【００１２】
また、本発明の第３の形態は、第１のインク滴を吐出するためのノズルが所定の方向に沿って配列された第１ノズル列と前記第１のインク滴よりも多い量の第２のインク滴を吐出するためのノズルが前記所定の方向に沿って配列された第２ノズル列とを少なくとも有する記録手段を記録媒体に対して前記所定の方向と交差する方向に走査させながら前記記録手段よりインク滴を吐出させて前記記録媒体上にバンド単位で記録を行うインクジェット記録装置において、単一のバンドに吐出される前記第１のインク滴の数が閾値を超えているかを判定する判定手段と、前記第１のインク滴の数が閾値を超えていると判定された場合に、前記単一のバンドの端部に位置するラスタにおける前記第１のインク滴の吐出予定位置の少なくとも一部に対して前記第２ノズル列のノズルから前記第２のインク滴を吐出させる制御手段と、を備えることを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】